(57)【要約】【課題】液晶表示パネルの表示映像の明るさが暗く設定された場合でもＯＳＤ表示について一定の視認性を確保することのできる液晶表示装置を提供すること。【解決手段】ＯＳＤ表示を行うとき，該ＯＳＤ表示が行われるＯＳＤ表示領域ｒ１，ｒ２に対応するＬＥＤ各々は，一定の明るさを確保するべく予め設定されたＯＳＤ表示輝度で点灯させ，他の映像領域ｒ３に対応するＬＥＤ各々は，所定の操作入力に応じて前記液晶表示パネルに表示される映像全体の明るさに対応する明暗調節輝度で点灯させる。【選択図】図４
2011186237.tif 000002
【特許請求の範囲】
【請求項１】
映像を表示する液晶表示パネルと，前記液晶表示パネルの背面側にマトリクス状に配置された複数のＬＥＤを有するバックライト装置と，前記液晶表示パネル上の予め設定されたＯＳＤ表示領域に文字及び／又は画像をＯＳＤ表示させるＯＳＤ表示手段と，所定の操作入力に応じて前記液晶表示パネルに表示される映像全体の明るさを設定する映像明暗設定手段と，前記映像明暗設定手段により設定された前記映像全体の明るさに対応する明暗調節輝度で前記ＬＥＤ各々を点灯させるＬＥＤ制御手段とを備えてなる液晶表示装置であって，
前記ＬＥＤ制御手段が，前記ＯＳＤ表示手段により前記ＯＳＤ表示が行われる場合に，該ＯＳＤ表示が行われる前記ＯＳＤ表示領域に対応する前記ＬＥＤを予め設定されたＯＳＤ表示輝度で点灯させ，他の領域に対応する前記ＬＥＤを前記明暗調節輝度で点灯させるものであることを特徴とする液晶表示装置。
【請求項２】
前記ＬＥＤ制御手段が，前記ＯＳＤ表示領域に対応する前記ＬＥＤを前記ＯＳＤ表示輝度又は前記明暗調節輝度のいずれで点灯させるかを所定の操作入力に応じて切り換えるものである請求項１に記載の液晶表示装置。
【請求項３】
前記ＯＳＤ表示輝度は，予め設定された一定値である請求項１又は２のいずれかに記載の液晶表示装置。
【請求項４】
前記ＬＥＤ制御手段が，前記映像明暗設定手段により設定される前記映像全体の明るさの低下に伴って，予め設定された所定値を下限値として前記ＯＳＤ表示輝度を設定するものである請求項１又は２のいずれかに記載の液晶表示装置。
【請求項５】
前記ＬＥＤ制御手段が，前記映像明暗設定手段により設定される前記映像全体の明るさの低下に伴って，前記明暗調節輝度よりも緩やかな傾きで輝度が低下するように前記ＯＳＤ表示輝度を設定するものである請求項１又は２のいずれかに記載の液晶表示装置。
【発明の詳細な説明】
【技術分野】
【０００１】
本発明は，マトリクス状に配置された多数のＬＥＤにより液晶表示パネルを背後から照明するバックライト装置が搭載された液晶表示装置に関し，特に，メニュー画面やチャンネル表示，音量表示などの各種のＯＳＤ表示の視認性を確保するための技術に関するものである。
【背景技術】
【０００２】
液晶テレビジョン受像機や液晶モニタ装置などの液晶表示装置には，液晶表示パネルを背後から照明するバックライト装置が搭載される。液晶表示装置では，ユーザの任意の設定により，液晶表示パネルの表示映像の明るさを変更することが可能である。このとき，液晶表示パネルの表示映像の明るさは，バックライト装置による液晶表示パネルの照明量を変更することによって調節される。
そして，従来，液晶表示パネルの表示映像の明るさが著しく暗く設定されると，その後はメニュー画面などのＯＳＤ表示も暗くなって視認性が低下するため，操作性が低下するという問題が生じる。
そこで，例えば特許文献１では，液晶表示パネルの表示映像の明るさが変更された場合でもＯＳＤ表示が見やすくなるようにＯＳＤ表示の色を変更することが提案されている。
【先行技術文献】
【特許文献】
【０００３】
【特許文献１】特開２００８−１１６５５５号公報
【発明の概要】
【発明が解決しようとする課題】
【０００４】
しかしながら，液晶表示パネルの表示映像の明るさを暗くするためにバックライト装置の光量が低くなりすぎると，ＯＳＤ表示の色を変更してもＯＳＤ表示の視認性が改善されないという問題がある。
一方，近年では，バックライト装置の光源として冷陰極管に代えてマトリクス状に配列されたＬＥＤを用いることがある。このような構成では，そのＬＥＤ各々を個別に点灯／消灯させることが可能であり，液晶表示パネルの明るさを部分的に変更することも可能である。
従って，本発明は上記事情に鑑みてなされたものであり，その目的とするところは，液晶表示パネルの表示映像の明るさが暗く設定された場合でも，ＯＳＤ表示については一定の視認性を確保することができる液晶表示装置を提供することにある。
【課題を解決するための手段】
【０００５】
上記目的を達成するために本発明は，映像を表示する液晶表示パネルと，前記液晶表示パネルの背面側にマトリクス状に配置された複数のＬＥＤを有するバックライト装置と，前記液晶表示パネル上の予め設定されたＯＳＤ表示領域に文字及び／又は画像をＯＳＤ表示させるＯＳＤ表示手段と，所定の操作入力に応じて前記液晶表示パネルに表示される映像全体の明るさを設定する映像明暗設定手段と，前記映像明暗設定手段により設定された前記映像全体の明るさに対応する明暗調節輝度で前記ＬＥＤ各々を点灯させるＬＥＤ制御手段とを備えてなる液晶表示装置に適用されるものであって，前記ＬＥＤ制御手段が，前記ＯＳＤ表示手段により前記ＯＳＤ表示が行われる場合に，該ＯＳＤ表示が行われる前記ＯＳＤ表示領域に対応する前記ＬＥＤを予め設定されたＯＳＤ表示輝度で点灯させ，他の領域に対応する前記ＬＥＤを前記明暗調節輝度で点灯させるものであることを特徴とする液晶表示装置として構成される。
本発明によれば，前記映像明暗設定手段により前記液晶表示パネルの表示映像の明るさが暗く設定された場合であっても，該表示映像の明るさとは別に設定された明るさで前記ＯＳＤ表示を表示させることが可能であるため，該ＯＳＤ表示については一定の視認性を確保することができる。
【０００６】
ここに，前記ＬＥＤ制御手段は，前記ＯＳＤ表示領域に対応する前記ＬＥＤを前記ＯＳＤ表示輝度又は前記明暗調節輝度のいずれで点灯させるかを所定の操作入力に応じて切り換えるものであることが望ましい。これにより，ユーザが任意に前記ＯＳＤ表示領域に対応する前記ＬＥＤを前記ＯＳＤ表示輝度又は前記明暗調節輝度のいずれで点灯させるかを選択することができるため，前記ＯＳＤ表示も表示映像と同様の明るさで表示させたいというユーザの要望にも対応することができる。
ところで，前記ＯＳＤ表示輝度は，予め設定された一定値であることが考えられる。これにより，前記ＯＳＤ表示の明るさを常に一定に維持することができるため，該ＯＳＤ表示について一定の視認性を確保することができる。
また，前記ＬＥＤ制御手段が，前記映像明暗設定手段により設定される前記映像全体の明るさの低下に伴って，予め設定された所定値を下限値として前記ＯＳＤ表示輝度を設定するものであることも考えられる。これにより，前記ＯＳＤ表示輝度だけは前記下限値未満に設定されることがないため，該ＯＳＤ表示について一定の視認性を確保することができる。
さらに，前記ＬＥＤ制御手段が，前記映像明暗設定手段により設定される前記映像全体の明るさの低下に伴って，前記明暗調節輝度よりも緩やかな傾きで輝度が低下するように前記ＯＳＤ表示輝度を設定するものであることも考えられる。これにより，前記明暗調節輝度が著しく暗く変更される場合であっても，前記ＯＳＤ表示輝度はそれよりも緩やかな傾きで設定されるため，前記ＯＳＤ表示が暗くなりすぎることを防止することができる。
【発明の効果】
【０００７】
本発明によれば，前記映像明暗設定手段により前記液晶表示パネルの表示映像の明るさが暗く設定された場合であっても，該表示映像の明るさとは別に設定された明るさで前記ＯＳＤ表示を表示させることが可能であるため，該ＯＳＤ表示については一定の視認性を確保することができる。
【図面の簡単な説明】
【０００８】
【図１】本発明に係る液晶表示装置の一例である液晶テレビジョン受像機Ｘの概略構成を表すブロック図。
【図２】液晶テレビジョン受像機ＸにおけるＯＳＤ表示領域の設定例を示す模式図。
【図３】液晶テレビジョン受像機ＸにおけるＯＳＤ表示制御処理の手順の一例を表すフローチャート。
【図４】液晶テレビジョン受像機ＸにおけるＯＳＤ表示制御処理の実行結果の一例を説明するための図。
【図５】液晶テレビジョン受像機ＸにおけるＯＳＤ表示制御処理の実行結果の他の例を説明するための図。
【図６】ＯＳＤ表示輝度の設定手法の一例を説明するための図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を参照しつつ，本発明に係る液晶表示装置の一例である液晶テレビジョン受像機Ｘの構成について説明する。なお，本発明は，液晶テレビジョン受像機に限らず，パソコンに用いられる液晶ディスプレイ装置などの液晶表示装置にも適用可能である。
図１に示すように，液晶テレビジョン受像機Ｘは，複数のチューナ１，外部信号入力部２，復調・分離回路３，映像復号回路１１，映像選択・合成回路１２，映像処理回路１３，液晶ドライバ１４，液晶表示パネル１５（映像表示手段の一例），調光回路１６，バックライト装置１７，音声復号回路２１，音声選択回路２２，音声処理回路２３，アンプ２４，スピーカ２５，制御回路４，リモコン受光部６，及びリモコン７等を備えている。
本実施の形態に係る前記液晶テレビジョン受像機Ｘは，前記制御回路４によって後述のＯＳＤ表示制御処理（図３参照）が実行されることにより，前記液晶表示パネル１５にＯＳＤ表示を行う場合に，該ＯＳＤ表示が行われるＯＳＤ表示領域について一定の明るさが確保される点に特徴を有している。
【００１０】
前記リモコン受光部６は，当該液晶テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該液晶テレビジョン受像機Ｘ全体を制御する。前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
例えば，前記制御回路４は，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
【００１１】
前記チューナ１は，不図示のアンテナで受信されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
また，前記外部信号入力部２は，例えばＤＶＤプレイヤーやブルーレイディスクプレイヤー，Ｗｅｂストリーミングの受信装置（インターネットモデム等）などの外部装置からの映像信号及び音声信号を，前記映像選択・合成回路１２及び前記音声選択回路２２に入力する信号入力インターフェースである。なお，前記外部信号入力部２は，前記映像信号に重畳して入力されるメタデータを抽出し，前記制御回路４に入力する。
前記復調・分離回路３は，前記チューナ１から伝送されてきた搬送波周波数成分からトランスポートストリーム信号（Transport Stream信号：以下，ＴＳ信号）を復調する。また，前記復調・分離回路３は，抽出されたＴＳ信号から，視聴される放送番組に対応した映像信号及び音声信号，並びにメタデータ（コンテンツ情報）などを分離して抽出する。さらに，前記復調・分離回路３は，前記制御回路４から受けたＰＩＤ（Packet IDentification）に応じて，視聴対象となる放送番組の映像信号及び音声信号を抽出し，各信号を前記映像復号回路１１及び前記音声復号回路２１それぞれに伝送する。
【００１２】
前記音声復号回路２１は，前記復調・分離回路３から伝送される音声信号を復号し，復号した音声信号を前記音声選択回路２２に伝送する。
また，前記音声選択回路２２は，前記制御回路４からの制御指令に従って，前記チューナ１により選局された放送番組のコンテンツの音声信号（前記音声復号回路２１を通じて入力される音声信号）と，前記外部信号入力部２を通じて入力される音声信号との中から１つの音声信号を選択して前記音声処理回路２３へ伝送する回路である。
そして，前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
また，前記アンプ２４は，前記音声処理回路２３による処理後の音声信号を，前記制御回路４からの指示に従って増幅或いは減衰させる処理を行い，前記スピーカ２５に出力するものである。
【００１３】
一方，前記映像復号回路１１は，前記復調・分離回路３から伝送される映像信号を復号し，復号した映像信号を前記映像選択・合成回路１２に伝送する。
前記映像選択・合成回路１２は，前記制御回路４からの制御指令に従って，前記映像復号回路１１を通じて入力される放送番組のコンテンツの映像信号と，前記外部信号入力部２を通じて入力される外部入力コンテンツの映像信号との中から，１つ又は複数の映像信号を選択して前記映像処理回路１３へ伝送する。
前記映像処理回路１３は，前記制御回路４からの制御指令に従って，コンテンツの画像を前記液晶表示パネル１５に表示させるために前記液晶ドライバ１４に供給するフレーム画像信号を生成する。具体的に，前記制御回路４は，前記リモコン７のユーザ操作によってメニュー画面の表示やチャンネルの切り換え，音量の変更などの操作入力が行われた場合に，その操作内容に応じて必要なＯＳＤ表示を実行するように前記映像処理回路１３に制御指令を与える。これにより，前記映像処理回路１３は，前記制御回路４からの制御指令に従って，メニュー画面やチャンネル表示，音量表示などの文字や画像を，前記液晶表示パネル１５の表示映像に重畳して表示させるＯＳＤ表示を実行する。ここに，前記ＯＳＤ表示を行うときの前記制御回路４及び前記映像処理回路１３がＯＳＤ表示手段に相当する。もちろん前記ＯＳＤ表示は，前記液晶表示パネル１５の表示映像に重畳して表示されるものであれば，ここで挙げたものに限らず，例えば字幕やテロップ等をも含む概念である。
【００１４】
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
前記液晶表示パネル１５は，前記液晶ドライバ１４による制御に応じて，マトリクス状に配置された液晶素子ごとの透過率を変更し，前記フレーム画像信号に対応する映像を表示する。
前記バックライト装置１７は，前記液晶表示パネル１５の背面側にマトリクス状に配置された多数のＬＥＤを有しており，該液晶表示パネル１５を背面から照明するものである。
前記調光回路１６は，前記制御回路４からの制御指令に従って，前記バックライト装置１７に設けられた前記ＬＥＤ各々に対する供給電力を調節することにより該ＬＥＤ各々の発光輝度を制御して，前記液晶表示パネル１５の表示映像の明るさを調節する。なお，前記液晶表示パネル１５の表示映像の明るさが，該液晶表示パネル１５に映像を表示する際の基準となる明るさであり，前記バックライト装置１７のＬＥＤ各々の発光輝度が，その基準となる明るさに対応する発光輝度を基準に，表示映像の内容などに応じて増減されることも考えられる。
【００１５】
ここに，図２は，前記液晶表示パネル１５及び前記バックライト装置１７の模式図である。
図２に示すように，前記液晶表示パネル１５にメニュー画面をＯＳＤ表示させる場合，前記液晶表示パネル１５の映像表示領域は，前記ＯＳＤ表示が行われるＯＳＤ表示領域ｒ１，ｒ２と，該ＯＳＤ表示領域ｒ１，ｒ２を除く映像領域ｒ３とに分割される。なお，前記ＯＳＤ表示領域ｒ１は，前記メニュー画面のメインメニュー表示領域であり，前記ＯＳＤ表示領域ｒ２は，前記メニュー画面のサブメニュー表示領域である（例えば図４参照）。そして，前記ＯＳＤ表示領域ｒ１，ｒ２及び前記映像領域ｒ３を特定するための情報は前記制御回路４のＲＯＭ４ｂなどに記憶されており，前記制御回路４は，前記ＯＳＤ表示領域ｒ１，ｒ２と前記映像領域ｒ３とを区別し得る。
一方，前記バックライト装置１７は，前記液晶表示パネル１５の背面側に，該液晶表示パネル１５のサイズに応じて予め定められた数だけ縦横に配列された複数の白色のＬＥＤ１７ａを有している。ここで，前記ＬＥＤ１７ａ各々は，前記液晶表示パネル１５上の単位領域ごとに対応するものであって，該ＬＥＤ１７ａ各々とそれが主として照明する単位領域との対応関係は既知である。もちろん，前記ＬＥＤ１７ａは，ＲＧＢの３色のＬＥＤを含むものであってもよい。
ここでは，前記ＯＳＤ表示領域ｒ１，ｒ２に対応する前記ＬＥＤ１７ａがＬＥＤグループ１７１，１７２，前記映像領域ｒ３に対応する前記ＥＤ１７ａがＬＥＤグループ１７３として予め設定され，前記制御回路４のＲＯＭ４ｂなどに記憶されているものとする。これにより，前記制御回路４は，前記ＬＥＤグループ１７１〜１７３を区別し得る。
そして，前記調光回路１６は，前記制御回路４からの制御指令に従って，前記バックライト装置１７における前記ＬＥＤ１７ａ各々の発光輝度を，前記ＬＥＤグループ１７１，１７２と前記ＬＥＤグループ１７３とに分けて個別に制御する。
【００１６】
ここに，前記液晶テレビジョン受像機Ｘでは，前記制御回路４のＲＯＭ４ｂに，前記液晶表示パネル１５の表示映像の標準（スタンダード）の明るさに対応して予め設定された前記ＬＥＤ１７ａ各々の発光輝度である標準輝度Ｋ０が記憶されているものとする。これにより，初期状態では，前記制御回路４が前記調光回路１６に前記標準輝度Ｋ０を伝達することにより，該調光回路１６によって前記液晶表示パネル１５の表示映像の明るさが標準（スタンダード）に調節される。
一方，前記制御回路４は，ユーザによる前記リモコン７の操作入力（所定の操作入力）に応じて，前記液晶表示パネル１５に表示される映像全体の明るさを任意に設定する映像明暗設定機能を有している。ここに，係る設定を行うときの前記制御回路４が映像明暗設定手段に相当する。以下，前記映像明暗設定機能により設定された前記映像全体の明るさに対応する前記ＬＥＤ１７ａ各々の発光輝度を明暗調節輝度Ｋ１とする。なお，前記映像全体の明るさと前記明暗調節輝度Ｋ１との関係は前記制御回路４のＲＯＭ４ｂ等に予め記憶されている。
前記制御回路４は，前記映像明暗設定機能により前記液晶表示パネル１５の表示映像の明るさを変更すると，その後は，該明るさに対応する前記明暗調節輝度Ｋ１で前記ＬＥＤ１７ａ各々を点灯させるように前記調光回路１６に制御指令を与える。これにより，前記調光回路１６は，前記明暗調節輝度Ｋ１を基準として前記ＬＥＤ１７ａ各々の発光輝度を調節することにより，前記液晶表示パネル１５の表示映像の明るさを調節する。ここに，係る処理を実行するときの前記制御回路４及び前記調光回路１６がＬＥＤ制御手段に相当する。
【００１７】
ところで，前記映像明暗設定機能によって設定された表示映像の明るさが暗すぎると，メニュー画面などのＯＳＤ表示の明るさも同様に暗くなりすぎ，視認性が低下するおそれがある。特に，前記映像明暗設定機能による明るさの設定は，ＯＳＤ表示されるメニュー画面に従った操作入力によって行われるため，該ＯＳＤ表示が極端に暗く設定されると，その後に表示映像の明るさを戻すための操作入力を行いにくくなる。
しかしながら，前記液晶テレビジョン受像機Ｘでは，前記制御回路４によって当該ＯＳＤ表示制御処理が実行されることにより，前記映像明暗設定機能によって表示映像の明るさが暗く設定された場合であっても，前記ＯＳＤ表示領域ｒ１，ｒ２については一定の明るさが確保される。
以下，図３のフローチャートに従って，前記制御回路４によって実行されるＯＳＤ表示制御処理の処理手順の一例について説明する。なお，以下に示されるＳ１，Ｓ２，…は，処理手順（ステップ）の識別符号を表す。
【００１８】
（ステップＳ１）
まず，ステップＳ１において，前記制御回路４は，ユーザによる前記リモコン７等の操作入力によりＯＳＤ表示を行う必要が生じたか否かを判断する。具体的に，前記制御回路４は，前記リモコン７に対してメニュー画面表示やチャンネル選局，音量調節などの操作が行われた場合に，ＯＳＤ表示を行う必要が生じたと判断する。
ここで，前記ＯＳＤ表示を行う必要が生じたと判断された場合（Ｓ１のＹｅｓ側），処理はステップＳ２に移行し，前記ＯＳＤ表示を行う必要が生じていない場合には（Ｓ１のＮｏ側），処理はステップＳ１１に移行する。
【００１９】
（ステップＳ１１）
ステップＳ１１では，前記制御回路４は，前記液晶表示パネル１５における前記ＯＳＤ表示領域ｒ１，ｒ２，前記映像領域ｒ３を含む全領域の表示映像を同じ明るさで表示させる。
具体的に，前記映像明暗設定機能によって表示映像の明るさが変更されていない場合，前記ＯＳＤ表示領域ｒ１，ｒ２，前記映像領域ｒ３を含む全領域に対応する前記ＬＥＤ１７ａ各々が前記標準輝度Ｋ０で発光される。また，前記映像明暗設定機能によって表示映像の明るさが変更されている場合には，前記ＯＳＤ表示領域ｒ１，ｒ２，前記映像領域ｒ３を含む全領域に対応する前記ＬＥＤ１７ａ各々が前記明暗調節輝度Ｋ１で発光される。
【００２０】
（ステップＳ２）
一方，ステップＳ２では，前記制御回路４は，前記映像明暗設定機能によって前記液晶表示パネル１５の表示映像の明るさが予め設定された所定の明るさ未満に設定されたか否かを判断する。ここに，前記所定の明るさは，前記ＯＳＤ表示を行ったときに該ＯＳＤ表示について一定の視認性を確保することのできるものとして予め設定されたものである。なお，少なくとも前記ＬＥＤ１７ａ各々を前記標準輝度Ｋ０で点灯させた場合の映像の明るさは前記所定の明るさ以上である。
ここで，前記所定の明るさ未満であると判断された場合には（Ｓ２のＹｅｓ側），処理はステップＳ３に移行するが，前記所定の明るさ以上である場合には（Ｓ２のＮｏ側），そのまま前記ＯＳＤ表示を行っても該ＯＳＤ表示について一定の視認性が確保されるため，処理は前記ステップＳ１１に移行し全領域が同様の明るさで表示される。
【００２１】
（ステップＳ３〜Ｓ４）
前記液晶表示パネル１５の表示映像の明るさが前記所定の明るさ未満である場合（Ｓ２のＹｅｓ側），そのまま同じ明るさで前記ＯＳＤ表示を行うと，該ＯＳＤ表示の視認性が低く見えづらいという問題がある。
そのため，前記液晶テレビジョン受像機Ｘでは，続くステップＳ３〜Ｓ４において，前記制御回路４が，前記ＯＳＤ表示量領域ｒ１，ｒ２のみに対応する前記ＬＥＤグループ１７１，１７２に属する前記ＬＥＤ１７ａ各々を予め設定された一定値である前記標準輝度Ｋ０で点灯させ，前記映像領域ｒ３に対応する前記ＬＥＤグループ１７３に属する前記ＬＥＤ１７ａ各々を前記明暗調節輝度Ｋ１で点灯させるように前記調光回路１６に制御指令を与える。これにより，前記調光回路１６によって前記バックライト装置１７の光量が調整され，前記ＯＳＤ表示領域ｒ１，ｒ２に対応する前記ＬＥＤ１７ａが前記標準輝度Ｋ０で点灯し，前記映像領域ｒ３に対応する前記ＬＥＤ１７ａが前記明暗調整輝度Ｋ１で点灯する。
【００２２】
以上説明したように，前記液晶テレビジョン受像機Ｘでは，前記映像明暗設定機能によって表示映像の明るさが著しく暗く設定された場合であっても，前記ＯＳＤ表示領域ｒ１，ｒ２について一定の明るさが確保されるため，前記ＯＳＤ表示について一定の視認性を確保することができる。
なお，前記ＯＳＤ表示制御処理の有効／無効を切り換えることのできる構成が望ましい。具体的には，前記制御回路４が，前記リモコン７に対するユーザ操作に応じて，前記ＯＳＤ表示領域ｒ１，ｒ２に対応する前記ＬＥＤ１７ａを前記標準輝度Ｋ０又は前記明暗調節輝度Ｋ１のいずれで点灯させるかを切り換えることが考えられる。これにより，ユーザは自己の好みにより，前記ＯＳＤ表示制御処理の実行の有無，即ち前記ＯＳＤ表示については一定の明るさを確保するか否かを選択することができる。
【００２３】
ここに，図４は，前記ＯＳＤ表示制御処理の実行結果の一例を示すものであって，前記映像明暗設定機能によって表示映像の明るさが前記所定の明るさ未満に設定された場合に，前記ＯＳＤ表示領域ｒ１，ｒ２にメニュー画面のＯＳＤ表示が行われる場合の表示例を示したものである。
図４に示すように，前記映像領域ｒ３については，前記映像明暗設定機能によって設定された明暗調節輝度Ｋ１で前記ＬＥＤ１７ａ各々が点灯することになるため，該映像領域ｒ３の表示映像は前記所定の明るさ未満の暗い映像となる。
しかしながら，前記ＯＳＤ表示領域ｒ１，ｒ２については，前記標準輝度Ｋ０で前記１７ａ各々が点灯することになるため，該ＯＳＤ表示領域ｒ１，ｒ２のＯＳＤ表示は前記所定の明るさ以上の明るい表示となり，一定の視認性が確保されることになる。
【００２４】
なお，本実施の形態では，メニュー画面をＯＳＤ表示させる場合を例に挙げて説明しているが，これに限らずチャンネル表示や音量表示などのＯＳＤ表示を行う場合も同様である。
即ち，前記ＯＳＤ表示領域ｒ１，ｒ２に加えて，チャンネル表示や音量表示などを行う部分領域についても個別のＯＳＤ表示領域として予め設定されており，前記制御回路４が，ＯＳＤ表示を行う際に該ＯＳＤ表示の内容に対応するＯＳＤ表示領域のみについて一定の明るさを確保するように制御すればよい。
例えば，図５は，前記メニュー画面に代えて前記液晶表示パネル１５の右上端部のＯＳＤ表示領域ｒ１１に，チャンネル表示のＯＳＤ表示を行う場合の結果を示している。図５に示すように，チャンネル表示のＯＳＤ表示が行われるＯＳＤ表示領域ｒ１１のみに対応する前記ＬＥＤ１７ａ各々が前記標準輝度Ｋ０で点灯することにより一定の視認性が確保されている。
【実施例】
【００２５】
ところで，前記実施の形態では，前記ＯＳＤ表示領域ｒ１，ｒ２に対応する前記ＬＥＤ１７ａの輝度を一定値の前記標準輝度Ｋ０とする場合を例に挙げて説明した。
一方，前記制御回路４が，前記液晶表示パネル１５の表示映像の明るさの変更に応じて，前記ＯＳＤ表示領域ｒ１，ｒ２についても前記ＬＥＤ１７ａの輝度を変更することが考えられる。但し，前記ＯＳＤ表示領域ｒ１，ｒ２については一定の視認性を確保する必要がある。
【００２６】
そこで，前記制御回路４は，図６（ａ）に示すように，前記映像明暗設定機能によって設定される映像全体の明るさの低下に伴って前記明暗調節輝度Ｋ１が低くなるに連れて，前記ＯＳＤ表示領域ｒ１，ｒ２に対応する前記ＬＥＤ１７ａの発光輝度であるＯＳＤ表示輝度Ｋ２を徐々に低く設定するが，該ＯＳＤ表示輝度Ｋ２の下限値を，前記ＯＳＤ表示について一定の視認性を確保するべく予め設定された所定値Ｋｍとして前記ＯＳＤ表示輝度Ｋ２を設定することが考えられる。これにより，前記ＯＳＤ表示領域ｒ１，ｒ２に対応する前記ＬＥＤ１７ａが少なくとも前記ＯＳＤ表示輝度Ｋ２以上で発光することになるため，該ＯＳＤ表示領域ｒ１，ｒ２について一定の明るさを確保することができる。
【００２７】
また，前記制御回路４が，図６（ｂ）に示すように，前記映像明暗設定機能によって設定される映像全体の明るさの低下に伴って前記明暗調節輝度Ｋ１が低くなるに連れて，前記ＯＳＤ表示領域ｒ１，ｒ２に対応する前記ＬＥＤ１７ａのＯＳＤ表示輝度Ｋ２を前記明暗調節輝度Ｋ１よりも緩やかな傾きで徐々に低くなるように設定することが考えられる。これにより，前記明暗調節輝度Ｋ１が著しく暗く変更される場合であっても，前記ＯＳＤ表示輝度Ｋ２はそれよりも緩やかな傾きで暗く設定されるため，前記ＯＳＤ表示が暗くなりすぎることを防止することができる。なお，この場合でも，前記ＯＳＤ表示について一定の視認性を確保し得るべく予め設定された所定値Ｋｍを下限値として前記ＯＳＤ表示輝度Ｋ２が設定される。
【符号の説明】
【００２８】
Ｘ    ：液晶テレビジョン受像機（液晶表示装置の一例）
１    ：チューナ
２    ：外部信号入力部
３    ：復調・分離回路
４    ：制御回路
６    ：リモコン受光部
７    ：リモコン
１１  ：映像復号回路
１２  ：映像選択・合成回路
１３  ：映像処理回路
１４  ：液晶ドライバ
１５  ：液晶表示パネル
１６  ：調光回路
１７  ：バックライト装置
１７１〜１７３…ＬＥＤグループ
１７ａ：ＬＥＤ
２１  ：音声復号回路
２２  ：音声選択回路
２３  ：音声処理回路
２４  ：アンプ
２５  ：スピーカ
ｒ１，ｒ２…ＯＳＤ表示領域
ｒ３…映像領域
Ｓ１，Ｓ２，…：処理手順（ステップ）番号
【図１】
2011186237.tif 000003
【図２】
2011186237.tif 000004
【図３】
2011186237.tif 000005
【図６】
2011186237.tif 000006
【図４】
2011186237.tif 000007
【図５】
2011186237.tif 000008